(57)【要約】      （修正有）【課題】端子クリップは、接続されたワイヤの少なくとも一部に電気的に接続されて、すべてのワイヤ間の確実な電気接続をさらに確保できるよう、接続されたワイヤを内部にしっかりと保持することのできる接続端子、接続端子を使用して複数のワイヤを接続する方法、および押型を提供する。【解決手段】金属板から形成された接続端子であって、第１の縁部１１および第２の縁部１２を有する本体部１であって、第１の縁部、第２の縁部が本体部の長手方向に延びかつ本体部の横方向において互いに対向する、本体部と、第１の縁部、第２の縁部からそれぞれ延びる第１の翼部２、第２の翼部３とを備え、第１の翼部、第２の翼部は、本体部の横方向において互いに対向し、第１の縁部から延びる第１の翼部の長さが、第２の縁部から延びる第２の翼部の長さより大きく、第１の翼部、第２の翼部、および本体部の内面に、複数の第１の溝８が設けられている接続端子。【選択図】図１
2020145190.tif 000002
【特許請求の範囲】
【請求項１】
金属板から形成された接続端子であって、
第１の縁部（１１）および第２の縁部（１２）を有する本体部（１）であって、前記第１の縁部（１１）および前記第２の縁部（１２）が前記本体部の長手方向に延びかつ前記本体部の横方向において互いに対向する、本体部（１）と、
前記第１の縁部および前記第２の縁部からそれぞれ延びる第１の翼部（２）および第２の翼部（３）とを備え、
前記第１の翼部および前記第２の翼部は、前記本体部の前記横方向において互いに対向し、前記第１の縁部から延びる前記第１の翼部の長さが、前記第２の縁部から延びる前記第２の翼部の長さより大きく、
前記第１の翼部、前記第２の翼部、および前記本体部の内面に、複数の第１の溝（８）が設けられている、接続端子。
【請求項２】
前記第１の溝の各々は、前記第１の翼部、前記第２の翼部、および前記本体部において前記横方向に延びるスロットとして形成されている、請求項１に記載の接続端子。
【請求項３】
前記第１の溝の各々の縁部に、前記内面から離れて延びる第１のばり（７）が設けられている、請求項２記載の接続端子。
【請求項４】
前記第２の縁部および前記第１の縁部からそれぞれ延びる、少なくとも１つの第３の翼部（４）および少なくとも１つの第４の翼部（５）をさらに備え、
前記第３の翼部の各々は、前記本体部の前記横方向においてそれぞれの第４の翼部と対向して設けられ、前記第２の縁部から延びる前記第３の翼部の長さが、前記第１の縁部から延びる前記第４の翼部の長さより大きい、請求項１から３のいずれか一項に記載の接続端子。
【請求項５】
前記第１の翼部と前記少なくとも１つの第４の翼部とは、前記第１の縁部に交互に配置され、前記第２の翼部と前記少なくとも１つの第３の翼部とは、前記第２の縁部に交互に配置されている、請求項４に記載の接続端子。
【請求項６】
前記第３の翼部および前記第４の翼部の内面に、複数の第２の溝（９）が設けられている、請求項４または５に記載の接続端子。
【請求項７】
前記第２の溝の各々は、前記第３の翼部、前記第４の翼部、および前記本体部において前記横方向に延びるスロットとして形成されている、請求項６に記載の接続端子。
【請求項８】
前記第２の溝の各々の縁部に、前記内面から離れて延びる第２のばり（１０）が設けられている、請求項７に記載の接続端子。
【請求項９】
前記本体部は、略Ｕ字形断面を有するように予め曲げられている、請求項１から８のいずれか一項に記載の接続端子。
【請求項１０】
前記第１の翼部、前記第２の翼部、前記第３の翼部、および前記第４の翼部の各々の自由端の外面に、傾斜（１３）が設けられている、請求項４から９のいずれか一項に記載の接続端子。
【請求項１１】
請求項１から１０のいずれか一項に記載の接続端子（１００）によって複数のワイヤを接続する方法であって、
本体部を略Ｕ字形断面として予め曲げるステップと、
前記曲げた本体部内に複数のワイヤ（２００）の一部を配置するステップと、
押型（３００）により前記接続端子を押すステップとを含み、
前記押型は略Ｕ字形断面を有する開口部（３０１）を備え、前記接続端子の第１の翼部（２）および第２の翼部（３）は前記開口部に入るように構成され、
前記押型（３００）が前記接続端子を支持部（４００）に押し付けると、前記第１の翼部および前記第２の翼部は前記本体部側に曲げられて前記ワイヤを前記接続端子内に圧着し、前記第１の翼部は前記第２の翼部の外側に位置する、方法。
【請求項１２】
異なる傾斜を有する複数の案内溝（３０３、３０４）が、前記押型の前記Ｕ字形開口部の側壁に設けられ、
前記複数の案内溝は、前記押型（３００）が前記接続端子を前記支持部（４００）に押し付けると、前記第２の翼部が前記第１の翼部より先に前記本体部側に曲げられるように構成されている、請求項１１に記載の方法。
【請求項１３】
請求項１から１０のいずれか一項に記載の接続端子（１００）を押すように構成されている押型（３００）であって、前記押型は略Ｕ字形断面を有する開口部（３０１）を備え、前記接続端子の第１の翼部（２）および第２の翼部（３）は前記開口部に入るように構成され、
前記押型（３００）が前記接続端子を支持部（４００）に押し付けると、前記第１の翼部および前記第２の翼部は本体部側に曲げられてワイヤを前記接続端子内に圧着し、前記第１の翼部は前記第２の翼部の外側に位置する、押型。
【請求項１４】
異なる傾斜を有する複数の案内溝（３０３、３０４）が、前記押型の前記Ｕ字形開口部の側壁に設けられ、
前記複数の案内溝は、前記押型（３００）が前記接続端子を前記支持部（４００）に押し付けると、前記第２の翼部が前記第１の翼部より先に前記本体部側に曲げられるように構成されている、請求項１３に記載の押型。
【発明の詳細な説明】
【技術分野】
【０００１】
本開示は、接続端子に関し、より詳細には、複数のワイヤを接続するように構成されている接続端子、そのような接続端子を使用して複数のワイヤを接続する方法、および押型に関する。
【背景技術】
【０００２】
電気機器を接続する動作において、接続端子を使用して複数のワイヤを互いに圧着するように電気的に接続することが必要な場合がある。例えば、３相交流を送るために３本のワイヤを接続するときに、３本のワイヤの一端部を互いに電気的に接続する必要がある。接続を容易にするために、端子クリップを３本のワイヤの一端部に圧着して、３本のワイヤ間の電気接続を実現する。
【０００３】
１つのタイプの接続では、端子クリップは導電性材料から形成され、端子クリップは、接続されたワイヤの少なくとも一部に電気的に接続されて、すべてのワイヤ間の確実な電気接続をさらに確保できるようになっている。ワイヤをそのような端子クリップで接続するプロセスにおいて、端子クリップの締付力により、一部のワイヤが他のワイヤに対して動くことがあるため、電気接触が不十分になり、最終的に形成されるワイヤの断面構造が一致せず、かつ／またはワイヤをしっかりと圧着することができなくなる。
【発明の概要】
【発明が解決しようとする課題】
【０００４】
本開示は、上記の問題の少なくとも１つの態様および先行技術に存在する欠点に対処することを目的とする。
【課題を解決するための手段】
【０００５】
本開示の少なくとも１つの実施形態は、接続されたワイヤを内部にしっかりと保持することのできる接続端子、接続端子を使用して複数のワイヤを接続する方法、および押型を提供する。
【０００６】
本開示の一態様の実施形態によれば、金属板から形成された接続端子が提供され、この接続端子は、第１の縁部および第２の縁部を有する本体部であって、第１の縁部および第２の縁部が本体部の長手方向に延びかつ本体部の横方向において互いに対向する、本体部と、第１の縁部および第２の縁部からそれぞれ延びる第１の翼部および第２の翼部とを備える。第１の翼部および第２の翼部は、本体部の横方向において互いに対向し、第１の縁部から延びる第１の翼部の長さが、第２の縁部から延びる第２の翼部の長さより大きく、第１の翼部、第２の翼部、および本体部の内面に、複数の第１の溝が設けられている。
【０００７】
本開示の実施形態によれば、第１の溝の各々は、第１の翼部、第２の翼部、および本体部において横方向に延びるスロットとして形成されている。
【０００８】
本開示の別の実施形態によれば、第１の溝の各々の縁部に、内面から離れて延びる第１のばりが設けられている。
【０００９】
本開示の別の実施形態によれば、接続端子は、第２の縁部および第１の縁部からそれぞれ延びる、少なくとも１つの第３の翼部および少なくとも１つの第４の翼部をさらに備える。第３の翼部の各々は、本体部の横方向においてそれぞれの第４の翼部と対向して設けられ、第２の縁部から延びる第３の翼部の長さが、第１の縁部から延びる第４の翼部の長さより大きい。
【００１０】
本開示の別の実施形態によれば、第１の翼部と少なくとも１つの第４の翼部とは、第１の縁部に交互に配置され、第２の翼部と少なくとも１つの第３の翼部とは、第２の縁部に交互に配置されている。
【００１１】
本開示の別の実施形態によれば、第３の翼部および第４の翼部の内面に、複数の第２の溝が設けられている。
【００１２】
本開示の別の実施形態によれば、第２の溝の各々は、第３の翼部、第４の翼部、および本体部において横方向に延びるスロットとして形成されている。
【００１３】
本開示の別の実施形態によれば、第２の溝の各々の縁部に、内面から離れて延びる第２のばりが設けられている。
【００１４】
本開示の別の実施形態によれば、本体部は、略Ｕ字形断面を有するように予め曲げられている。
【００１５】
本開示の別の実施形態によれば、第１の翼部、第２の翼部、第３の翼部、および第４の翼部の各々の自由端の外面に、傾斜が設けられている。
【００１６】
本開示の別の態様の実施形態によれば、上記実施形態による接続端子によって複数のワイヤを接続する方法であって、本体部を略Ｕ字形断面として予め曲げるステップと、曲げた本体部内に複数のワイヤの一部を配置するステップと、押型により接続端子を押すステップとを含み、押型は略Ｕ字形断面を有する開口部を備え、接続端子の第１の翼部および第２の翼部はこの開口部に入るように構成され、押型が接続端子を支持部に押し付けると、第１の翼部および第２の翼部は本体部側に曲げられてワイヤを接続端子内に圧着し、第１の翼部は第２の翼部の外側に位置する、方法が提供される。
【００１７】
本開示の実施形態によれば、異なる傾斜を有する複数の案内溝が、押型のＵ字形開口部の側壁に設けられ、複数の案内溝は、押型が接続端子を支持部に押し付けると、第２の翼部が第１の翼部より先に本体部側に曲げられるように構成されている。
【００１８】
本開示のさらなる態様によれば、上記実施形態による接続端子を押すように構成されている押型であって、押型は略Ｕ字形断面を有する開口部を備え、接続端子の第１の翼部および第２の翼部はこの開口部に入るように構成され、押型が接続端子を支持部に押し付けると、第１の翼部および第２の翼部は本体部側に曲げられてワイヤを接続端子内に圧着し、第１の翼部は第２の翼部の外側に位置する、押型が提供される。
【００１９】
本開示の実施形態によれば、異なる傾斜を有する複数の案内溝が、押型のＵ字形開口部の側壁に設けられ、複数の案内溝は、押型が接続端子を支持部に押し付けると、第２の翼部が第１の翼部より先に本体部側に曲げられるように構成されている。
【００２０】
本開示の接続端子、そのような接続端子によって複数のワイヤを接続する方法、および押型の上記の様々な実施形態において、接続端子の本体部に接続されている第１の翼部と第２の翼部とが異なる長さを有し、第１の溝を備えているため、第１の翼部および第２の翼部を曲げてワイヤを圧着する場合、第２の翼部は、第１の翼部により第１の翼部とワイヤとの間に保持されて、ワイヤが翼部の２つの層により圧着され、接続端子にしっかりと保持されるようになっている。
【００２１】
添付図面を参照しながら、本開示についてさらに詳細に説明する。
【図面の簡単な説明】
【００２２】
【図１】本開示の例示的な実施形態による接続端子を示す概略斜視図である。
【図２】図１に示す接続端子の本体部の、長手方向に沿った断面図である。
【図３】３本のワイヤが接続され、接続端子の翼部がまだ曲げられていないときの、図１の接続端子を示す概略斜視図である。
【図４】図３を示す別の斜視図である。
【図５】図３の状態の接続端子が押型により押されるときの動作原理を示す概略図である。
【図６】３本のワイヤが接続され、接続端子の翼部がすでに曲げられているときの、図１の接続端子を示す概略斜視図である。
【図７】図６の線Ａ−Ａに沿った横断面図である。
【図８】図６の線Ｂ−Ｂに沿った横断面図である。
【図９】ワイヤの端部を接続するように構成されている、図１の接続端子を示す斜視図である。
【図１０】ワイヤの端部間でワイヤの一部を接続するように構成されている、図１の接続端子を示す斜視図である。
【図１１】複数のワイヤが接続され、接続端子の翼部がまだ曲げられていないときの、図１の接続端子を示す概略斜視図である。
【図１２】複数のワイヤが接続され、接続端子の翼部がすでに曲げられているときの、図１の接続端子を示す横断面図である。
【図１３】複数のワイヤが接続され、接続端子の翼部がすでに曲げられているときの、図１の接続端子を示す別の横断面図である。
【図１４】本開示の別の例示的な実施形態による接続端子を示す概略斜視図である。
【図１５】図１４に示す接続端子の本体部の、長手方向に沿った断面図である。
【図１６】図１４に示す接続端子の本体部の、長手方向に沿った別の断面図である。
【発明を実施するための形態】
【００２３】
以下で、本開示の好ましい実施形態を示す添付図面を参照しながら、本開示について詳細に説明するが、本明細書に記載の発明を修正することができ、同時に本開示の技術的効果を達成することができることを当業者には理解されたい。添付図面と組み合わせた本開示の実施形態の説明は、本開示の一般的な概念を当業者に伝えるためのものであり、本開示を記載された例示的な実施形態に限定するものではないことを理解されたい。
【００２４】
さらに、以下の詳細な説明において、説明の目的で、開示された実施形態の完全な理解をもたらすために多くの具体的な詳細について述べる。しかしながら、これらの具体的な詳細なしで、１つまたは複数の実施形態を実施してもよいことが明らかであろう。他の例では、図面を簡略化するために、周知の構造およびデバイスを概略的に示す。
【００２５】
本発明の一般的な技術的概念によれば、金属板から形成された接続端子が提供され、この接続端子は、第１の縁部および第２の縁部を有する本体部であって、第１の縁部および第２の縁部が本体部の長手方向に延びかつ本体部の横方向において互いに対向する、本体部と、第１の縁部および第２の縁部からそれぞれ延びる第１の翼部および第２の翼部とを備える。第１の翼部および第２の翼部は、本体部の横方向において互いに対向し、第１の縁部から延びる第１の翼部の長さが、第２の縁部から延びる第２の翼部の長さより大きい。第１の翼部、第２の翼部、および本体部の内面に、複数の第１の溝が設けられている。
【００２６】
本発明の別の一般的な技術的概念によれば、上記の接続端子を使用して複数のワイヤを接続する方法であって、本体部を略Ｕ字形断面として予め曲げるステップと、曲げた本体部内に複数のワイヤの一部を配置するステップと、押型により接続端子を押すステップとを含む方法が提供される。押型は略Ｕ字形断面を有する開口部を備え、接続端子の第１の翼部および第２の翼部はこの開口部に入るように構成され、押型が接続端子を支持部に押し付けると、第１の翼部および第２の翼部は本体部側に曲げられてワイヤを接続端子内に圧着し、第１の翼部は第２の翼部の外側に位置する。
【００２７】
本発明のさらなる一般的な技術的概念によれば、上記の接続端子を押すように構成されている押型であって、押型は略Ｕ字形断面を有する開口部を備え、接続端子の第１の翼部および第２の翼部はこの開口部に入るように構成され、押型が接続端子を支持部に押し付けると、第１の翼部および第２の翼部は本体部側に曲げられてワイヤを接続端子内に圧着し、第１の翼部は第２の翼部の外側に位置する、押型が提供される。
【００２８】
図１は、本開示の例示的な実施形態による接続端子を示す概略斜視図である。
【００２９】
図１に示すように、本開示の実施形態による接続端子は、１枚の銅板、１枚のステンレス鋼板などの金属板から形成され、本体部１、第１の翼部２、および第２の翼部３を備える。
【００３０】
図６は、３本のワイヤが接続され、接続端子の翼部がすでに曲げられているときの、図１の接続端子を示す概略斜視図、図７は、図６の線Ａ−Ａに沿った横断面図、図８は、図６の線Ｂ−Ｂに沿った横断面図である。
【００３１】
図１、図６〜図８に示すように、例示的な実施形態において、本体部１は、平面に広げたときに略矩形形状を有し、本体部１の長手方向に延び、かつ本体部１の横方向において互いに対向する第１の縁部１１および第２の縁部１２を有する。第１の翼部２および第２の翼部３は、第１の縁部１１および第２の縁部１２からそれぞれ延びる。第１の翼部２および第２の翼部３は、本体部１の横方向において対向し、本体部１の第１の縁部１１から延びる第１の翼部２の長さが、第２の縁部１２から延びる第２の翼部３の長さより大きい。したがって、図６および図８に示すように、第１の翼部２および第２の翼部３を曲げてワイヤ２００を圧着する場合、第２の翼部３は、第１の翼部２により第１の翼部２とワイヤ２００との間に保持されて、ワイヤ２００が翼部の２つの層により圧着されるため、ワイヤ２００を接続端子１００にしっかりと保持することができ、すべてのワイヤ２００が互いに電気的に接続されるようになっている。
【００３２】
図２は、図１に示す接続端子の本体部の、長手方向に沿った断面図である。
【００３３】
例示的な実施形態において、図１および図２に示すように、第１の翼部２、第２の翼部３、および本体部１の内面に、複数の第１の溝８が設けられている。第１の溝８を設けることにより、本体部１、第１の翼部２、および第２の翼部３によってワイヤ２００に加えられる摩擦力を増加させることができ、第１の翼部２と第２の翼部３との間の摩擦を増加させることもできるため、ワイヤ２００をよりしっかりと接続端子に保持する。
【００３４】
一実施形態において、第１の溝８の各々は、第１の翼部２、第２の翼部３、および本体部１において横方向に延びるスロットとして形成されている。例えば、鋸歯状に形成され、各々横方向に対称な９本のスロットが、長手方向に配置されている。このようにして、長手方向における接続端子の保持を強めて、ワイヤ２００が接続端子１００から長手方向に外れることを防ぐことができる。代替実施形態において、第１の溝を、複数の円形突起または複数の円形凹部として構成することができる。
【００３５】
図１２は、複数のワイヤが接続され、接続端子の翼部がすでに曲げられているときの、図１の接続端子を示す横断面図、図１３は、複数のワイヤが接続され、接続端子の翼部がすでに曲げられているときの、図１の接続端子を示す別の横断面図である。
【００３６】
図１、図２、図１２、および図１３に示すように、例示的な実施形態において、接続端子１００は、３本以上のワイヤ２００、例えば１０本のワイヤを保持するように構成されている。ワイヤ２００は、複数の（例えば７本の）裸線２０１と複数の（例えば３本の）エナメル線２０２とを含む。エナメル線２０２は、導体と、導体を覆う絶縁層とを含む。第１の溝８の各々の縁部に、内面から離れて延びる第１のばり７が設けられている。エナメル線２０２の各々は、第１の翼部２、第２の翼部３、および本体部１のうちの少なくとも１つに接触するように配置されている。したがって、押型３００（以下で詳述する）を用いて、ワイヤ２００を第１の翼部２、第２の翼部３、および本体部１により圧着する場合、ばり７がエナメル線２０２の絶縁層を突き刺して、接続端子１００をエナメル線２０２に電気的に接続することができるようになっている。さらに、接続端子１００と裸線２０１との直接の接触、および裸線２０１同士の直接の接触により、裸線２０１およびエナメル線２０２を含むすべてのワイヤ２００を互いに電気的に接続することができる。エナメル線は、絶縁層が突き刺されると、他のワイヤに電気的に接続され、これにより、溶接技術の使用を省き、圧着のコストを削減し、環境汚染を低減させる。
【００３７】
図１に示すように、一実施形態において、接続端子１００は、本体部１の第２の縁部および第１の縁部からそれぞれ延びる、少なくとも１つの第３の翼部４（例えば、２つの第３の翼部４が図１に示される）と少なくとも１つの第４の翼部５（例えば、２つの第４の翼部５が図１に示される）とをさらに備える。第３の翼部４の各々は、本体部１の横方向においてそれぞれの第４の翼部５と対向して設けられ、本体部１の第２の縁部１２から延びる第３の翼部４の長さが、第１の縁部１１から延びる第４の翼部５の長さより大きい。さらに、第１の翼部２と少なくとも１つの第４の翼部５とは、第１の縁部１１に交互に配置され、第２の翼部３と少なくとも１つの第３の翼部４とは、第２の縁部１２に交互に配置されている。例えば、図３に示すように、より長い第１の翼部２は、より短い２つの第４の翼部５の間に位置し、より短い第２の翼部３は、より長い２つの第３の翼部４の間に位置する。
【００３８】
本開示の実施形態による接続端子は２次元構造を有し、翼部は２次元からワイヤに重なって圧着し、前端部の翼部（例えば、第３の翼部および第４の翼部）は本体部１の一側に向かって重なってワイヤを圧着し、後端部の翼部（例えば、第１の翼部および第２の翼部）は本体部１の他側に向かって重なってワイヤを圧着する。このようにして、複数のワイヤが、均衡する力を受け、複数の翼部により複数の点で押されることによって、圧着プロセス中に複数のワイヤがある部分に向かって集まるまたは捩じれることを防ぐため、より確実に複数のワイヤを共に機械的に保持する。ワイヤ間の不十分な電気接触をなくすことができ、最終的に形成されるワイヤの断面構造が略均一になる。
【００３９】
図９は、ワイヤの端部を接続するように構成されている、図１の接続端子を示す斜視図、図１０は、各ワイヤの端部間でワイヤの一部を接続するように構成されている、図１の接続端子を示す斜視図である。
【００４０】
一実施形態において、図９に示すように、接続端子１００を複数のワイヤ２００の端部に圧着して、複数のワイヤ２００が接続端子１００の同一の端部から接続端子１００の外へ延びるようにしてもよい。別の実施形態において、図１０に示すように、接続端子１００を、ワイヤ２００の２つの端部間に各々位置する複数のワイヤ２００の部分に圧着してもよく、すなわち、各ワイヤ２００の両端部が接続端子１００の外へ延びる。これにより、接続端子の適用の融通性が向上する。さらなる実施形態において、接続端子１００は本体部１の両端部から挿入されたワイヤを圧着して、一方のワイヤの一端部が他方のワイヤの一端部と向き合うようにしてもよい。
【００４１】
図１４は、本開示の別の例示的な実施形態による接続端子を示す概略斜視図、図１５は、図１４に示す接続端子１００’の本体部の、長手方向に沿った断面図、図１６は、図１４に示す接続端子１００’の本体部の、長手方向に沿った別の断面図である。
【００４２】
図１４に示すように、例示的な実施形態において、第１の翼部２および第２の翼部３は、第１の縁部１１および第２の縁部１２からそれぞれ延びる。第１の翼部２および第２の翼部３は、本体部１の横方向において対向し、本体部１の第１の縁部１１から延びる第１の翼部２の長さが、第２の縁部１２から延びる第２の翼部３の長さより大きい。第１の翼部２、第２の翼部３、および本体部１の内面に、複数の第１の溝８が設けられている。第１の溝８の各々は、第１の翼部２、第２の翼部３、および本体部１において横方向に延びるスロットとして形成されている。第１の溝８の各々の縁部に、内面から離れて延びる第１のばり７が設けられている。接続端子１００’は、本体部１の第２の縁部および第１の縁部からそれぞれ延びる、１つの第３の翼部４と１つの第４の翼部５とをさらに備える。第３の翼部４は、本体部１の横方向において第４の翼部５と対向して設けられ、本体部１の第２の縁部１２から延びる第３の翼部４の長さが、第１の縁部１１から延びる第４の翼部５の長さより大きい。さらに、第１の翼部２と第４の翼部５とは、第１の縁部１１に交互に配置され、第２の翼部３と第３の翼部４とは、第２の縁部１２に交互に配置されている。第３の翼部４および第４の翼部５の内面に、複数の第２の溝９が設けられている。第２の溝９の各々は、第３の翼部４、第４の翼部５、および本体部１において横方向に延びるスロットとして形成されている。第２の溝９の各々の縁部に、内面から離れて延びる第２のばり１０が設けられている。
【００４３】
図１４および図１５に示すように、一実施形態においては、第１の翼部２と第４の翼部５との間（または第２の翼部３と第３の翼部４との間）の本体部１の部分に、スロットが設けられていない。図１４および図１６に示すように、代替実施形態においては、第１の翼部２と第４の翼部５との間（または第２の翼部３と第３の翼部４との間）の本体部１の部分に、スロットがさらに設けられている。
【００４４】
図１および図１４に示すように、一実施形態において、本体部１は、略Ｕ字形断面を有するように予め曲げられて、略Ｕ字形構成内への複数のワイヤの配置を容易にする。第１の翼部２、第２の翼部３、第３の翼部４、および第４の翼部５の各々の自由端の外面に、傾斜１３が設けられている。傾斜は、翼部が押型（以下で詳述する）に対して平滑に移動するように方向付けすることができる。
【００４５】
図５は、図３の状態の接続端子が押型により押されるときの動作原理を示す概略図である。
【００４６】
図５を参照すると、本開示の実施形態は、上記実施形態のいずれか１つによる接続端子１００を押すように構成されている押型３００をさらに提供する。押型３００は略Ｕ字形断面を有する開口部３０１を備え、接続端子１００の第１の翼部２、第２の翼部３、第３の翼部４、および第４の翼部５は、開口部３０１に入るように構成されている。押型３００が接続端子を支持部４００に押し付けると、第１の翼部２、第２の翼部３、第３の翼部４、および第４の翼部５はすべて本体部１側に曲げられてワイヤ２００を接続端子１００内に保持して圧着し、第１の翼部２は第２の翼部３の外側に位置し、第４の翼部５は第３の翼部４の外側に位置する（図５および図６に示す）。
【００４７】
一実施形態において、異なる傾斜を有する複数の案内溝３０３、３０４が、押型３００のＵ字形開口部３０１の側壁に設けられている。複数の案内溝３０３、３０４は、押型３００が接続端子を支持部４００に押し付けると、第２の翼部３が第１の翼部２より先に本体部１側に曲げられ、同時に、第４の翼部５が第３の翼部４より先に本体部側に曲げられるように構成されている。例えば、図５に示す状態で、案内溝３０３は、より短い第２の翼部３または第４の翼部５を案内するように構成され、案内溝３０４は、より長い第１の翼部２または第３の翼部４を案内するように構成され、垂直軸に対する案内溝３０３の角度および／または開口部３０１内に突出している案内溝３０３の高さが、垂直軸に対する案内溝３０４の角度および／または開口部３０１内に突出している案内溝３０４の高さより大きい。したがって、図６〜図８に示すように、第１の翼部、第２の翼部、第３の翼部、および第４の翼部を曲げてワイヤ２００を保持する場合、第２の翼部３は、第１の翼部２により第１の翼部２とワイヤ２００との間に保持され、第４の翼部５は、第３の翼部４により第３の翼部４とワイヤ２００との間に保持される。
【００４８】
図３は、３本のワイヤが接続され、接続端子の翼部がまだ曲げられていないときの、図１の接続端子を示す概略斜視図、図４は、図３を示す別の斜視図である。
【００４９】
図３〜図５を参照すると、本開示の実施形態は、上記実施形態のいずれかによる接続端子１００によって複数のワイヤ２００を接続する方法をさらに提供する。図３および図４に示すように、方法は、略Ｕ字形断面を有するように接続端子１００の本体部１を予め曲げるステップと、略Ｕ字形断面を有する曲げた本体部１内に複数のワイヤ２００の一部を配置するステップと、押型３００により接続端子１００を押すステップとを含む。押型３００は略Ｕ字形断面を有する開口部３０１を備え、接続端子１００の第１の翼部２、第２の翼部３、第３の翼部４、および第４の翼部５は、開口部３０１に入るように構成されている。押型３００が接続端子を支持部４００に押し付けると、第１の翼部２、第２の翼部３、第３の翼部４、および第４の翼部５はすべて本体部１側に曲げられてワイヤ２００を接続端子１００内に保持して圧着し、第１の翼部２は第２の翼部３の外側に位置し、第４の翼部５は第３の翼部４の外側に位置する。
【００５０】
図１１は、複数のワイヤが接続され、接続端子の翼部がまだ曲げられていないときの、図１の接続端子を示す概略斜視図である。接続端子１００は、３本以上（例えば１０本）のワイヤ２００を保持するように構成されている。ワイヤ２００は、複数の（例えば７本の）裸線２０１と複数の（例えば３本の）エナメル線２０２とを含む。図１１に示す１０本のワイヤを接続する動作は、図５に示す３本のワイヤを接続する動作と同様であるため、再び説明しない。
【００５１】
本開示の上記実施形態の接続端子によれば、本開示の実施形態の接続端子は、異なる外径を有する複数のワイヤをしっかりと機械的に接続し、かつ確実に電気的に接続することができるため、接続端子の用途が広がり、接続端子の構造が単純化される。ワイヤは、例えば、３相モータのコイルに適応したエナメル線および／または裸線を備えることができる。接続端子は、異なる導体断面（例えば、サーキュラミルエリア（ＣＭＡ））を有するワイヤを圧着するように構成されている。一実施形態において、ワイヤのミリインチエリア（（直径（ｍｍ）／２５．４）２＊１０６）は、６００〜７０００、例えば、６００〜３０００（型番６２３０４−２）、１５００〜５０００（型番６２３０６−２）、および３０００〜７０００（型番６２３０４−２）であり得る。したがって、本開示の実施形態の接続端子は、異なる外径範囲を有するワイヤを圧着することにより、ワイヤの管理コストを削減することができる。ワイヤの圧着時に、ばりを使用してワイヤの絶縁層を突き刺すため、絶縁層の溶融およびワイヤのはんだ付けのプロセスを省くことができる。
【００５２】
上記の実施形態は例示的なものであり、限定的ではないことを当業者には理解されたい。例えば、当業者であれば、構成上または原理上矛盾することなく、上記の実施形態に多くの修正を加えることができ、異なる実施形態に記載する様々な特徴を互いに自由に組み合わせることができる。
【００５３】
いくつかの例示的な実施形態について図示し説明したが、本開示の原理および精神から逸脱することなく、これらの実施形態に様々な変更または修正を加えてもよいことが、当業者には理解されよう。本開示の範囲は、特許請求の範囲およびその均等物により定義される。
【００５４】
本明細書で用いられるように、単数形で記載され、「１つの（ａ）」または「１つの（ａｎ）」という語で始まる要素は、特に明記しない限り、この要素またはステップの複数形を除外しないものとして理解されるべきである。さらに、本開示の「一実施形態」に対する参照は、記載した特徴も組み込んだ追加の実施形態の存在を除外するものと解釈されることを意図してはいない。さらに、特に断りのない限り、特定の特性を有する要素または複数の要素を「備える（ｃｏｍｐｒｉｓｉｎｇ）」、または「有する（ｈａｖｉｎｇ）」実施形態は、その特性を有さない追加のこのような要素を含んでいてもよい。
【図１】
2020145190.tif 000003
【図２】
2020145190.tif 000004
【図３】
2020145190.tif 000005
【図４】
2020145190.tif 000006
【図５】
2020145190.tif 000007
【図６】
2020145190.tif 000008
【図７】
2020145190.tif 000009
【図８】
2020145190.tif 000010
【図９】
2020145190.tif 000011
【図１０】
2020145190.tif 000012
【図１１】
2020145190.tif 000013
【図１２】
2020145190.tif 000014
【図１３】
2020145190.tif 000015
【図１４】
2020145190.tif 000016
【図１５】
2020145190.tif 000017
【図１６】
2020145190.tif 000018
【外国語明細書】
2020145190000001.pdf